(57)【特許請求の範囲】
【請求項１】
送信信号に対し所定の送信処理を実施して第１周波数信号を出力する送信部と、
第２周波数信号に対し所定の受信処理を実施して受信信号を出力する受信部と、
前記送信部から出力された前記第１周波数信号を周波数変換して前記第２周波数信号を発生させ、前記第２周波数信号を前記受信部に入力する折り返し試験装置と、
を備え、
前記折り返し試験装置は、
所定周波数の局部発振周波数信号を発生させる局部発振器と、
ローカル端子と中間周波端子と無線周波端子とを有し、前記送信部から前記ローカル端子に入力された前記第１周波数信号と前記局部発振器から前記中間周波端子に入力された前記局部発振周波数信号とに基づいて前記第１周波数信号と前記局部発振周波数信号との和差信号を生成し、前記和差信号を前記第２周波数信号として前記無線周波端子から出力する周波数混合器と、
を備えた無線装置。
【請求項２】
前記周波数混合器は、
前記第１周波数信号と前記局部発振周波数信号とを乗算することにより前記和差信号を生成する、請求項１に記載の無線装置。
【請求項３】
前記局部発振器により発生される前記局部発振周波数信号の周波数は帯域を持たず、且つ、前記局部発振周波数信号の周波数は、前記第１周波数信号のスペクトラムの帯域に含まれる周波数よりも小さい周波数である、請求項１に記載の無線装置。
【請求項４】
無線装置に備えられた送信部から出力された第１周波数信号を周波数変換して第２周波数信号を発生させ、前記第２周波数信号を前記受信部に入力する折り返し試験装置であって、
所定周波数の局部発振周波数信号を発生させる局部発振器と、
ローカル端子と中間周波端子と無線周波端子とを有し、前記送信部から前記ローカル端子に入力された前記第１周波数信号と前記局部発振器から前記中間周波端子に入力された前記局部発振周波数信号とに基づいて前記第１周波数信号と前記局部発振周波数信号との和差信号を生成し、前記和差信号を前記第２周波数信号として前記無線周波端子から出力する周波数混合器と、
を備えた折り返し試験装置。
【請求項５】
前記周波数混合器は、
前記第１周波数信号と前記局部発振周波数信号とを乗算することにより前記和差信号を生成する、請求項４に記載の折り返し試験装置。
【請求項６】
前記局部発振器により発生される前記局部発振周波数信号の周波数は帯域を持たず、且つ、前記局部発振周波数信号の周波数は、前記第１周波数信号のスペクトラムの帯域に含まれる周波数よりも小さい周波数である、請求項４に記載の折り返し試験装置。
【請求項７】
無線装置に備えられた送信部から出力される第１周波数信号を周波数変換して第２周波数信号を発生させ、前記第２周波数信号を前記無線装置に備えられた受信部に入力する折り返し試験方法であって、
局部発振器が、所定周波数の局部発振周波数信号を発生させる段階と、
ローカル端子と中間周波端子と無線周波端子とを有する周波数混合器が、前記送信部から前記ローカル端子に入力された前記第１周波数信号と前記局部発振器から前記中間周波端子に入力された前記局部発振周波数信号とに基づいて前記第１周波数信号と前記局部発振周波数信号との和差信号を生成し、前記和差信号を前記第２周波数信号として前記無線周波端子から出力する段階と、
を有する折り返し試験方法。
【請求項８】
前記周波数混合器は、
前記第１周波数信号と前記局部発振周波数信号とを乗算することにより前記和差信号を生成する、請求項７に記載の折り返し試験方法。
【請求項９】
前記局部発振器により発生される前記局部発振周波数信号の周波数は帯域を持たず、且つ、前記局部発振周波数信号の周波数は、前記第１周波数信号のスペクトラムの帯域に含まれる周波数よりも小さい周波数である、請求項７に記載の折り返し試験方法。
【発明の詳細な説明】
【技術分野】
【０００１】
本発明の実施形態は、無線装置、折り返し試験装置、折り返し試験方法に関する。
【背景技術】
【０００２】
従来、複数の通信データを多重化して無線伝送するための多重無線装置が知られている。現在、公共業務用の多重無線装置で用いられる周波数帯として、６．５ＧＨｚ帯、７．５ＧＨｚ帯、１２ＧＨｚ帯が割り当てられている。例えば、６．５ＧＨｚ帯の場合、送信周波数と受信周波数との間は１６０ＭＨｚだけ離されており、送信周波数と受信周波数とは相互に異なる周波数である。
【０００３】
上述の多重無線装置単体で送信機能と受信機能とを試験するための試験装置として、折り返し試験装置がある。折り返し試験装置は、多重無線装置の送信部から出力される無線周波の送信周波数を受信周波数に変換して受信部に折り返し入力する。これにより、アンテナから実際に電波を放射することなく、多重無線装置単体で送信部および受信部の両機能を試験することができる。
【０００４】
折り返し試験装置は、送信周波数を受信周波数に変換するための要素として、例えばアップコンバータとダウンコンバータとを備える。この場合、折り返し試験装置は、アップコンバータとダウンコンバータとを制御するための手段も必要とする。このため、折り返し試験装置の構成が複雑になり、装置コストが上昇するという問題がある。
【先行技術文献】
【特許文献】
【０００５】
【特許文献１】特開平６−１５２４６１号公報
【発明の概要】
【発明が解決しようとする課題】
【０００６】
本発明が解決しようとする課題は、装置構成の複雑化および装置コストの上昇を抑制することができる無線装置、折り返し試験装置、折り返し試験方法を提供することである。
【課題を解決するための手段】
【０００７】
実施形態の無線装置は、送信部、受信部、折り返し試験装置を持つ。前記送信部は、送信信号に対し所定の送信処理を実施して第１周波数信号を出力する。前記受信部は、第２周波数信号に対し所定の受信処理を実施して受信信号を出力する。前記折り返し試験装置は、前記送信部から出力された前記第１周波数信号を周波数変換して前記第２周波数信号を発生させ、前記第２周波数信号を前記受信部に入力する。前記折り返し試験装置は、局部発振器、周波数混合器を持つ。前記局部発振器は、所定周波数の局部発振周波数信号を発生させる。前記周波数混合器は、ローカル端子と中間周波端子と無線周波端子とを有し、前記送信部から前記ローカル端子に入力された前記第１周波数信号と前記局部発振器から前記中間周波端子に入力された前記局部発振周波数信号とに基づいて前記第１周波数信号と前記局部発振周波数信号との和差信号を生成し、前記和差信号を前記第２周波数信号として前記無線周波端子から出力する。
【図面の簡単な説明】
【０００８】
【図１】実施形態の多重無線装置を備えた通信システムの全体構成例を模式的に示すブロック図。
【図２】実施形態の折り返し試験装置が適用された多重無線装置の構成例を示すブロック図。
【図３】実施形態の折り返し試験装置の構成例を示す図。
【図４】実施形態の折り返し試験装置に備えられた周波数混合器の動作例の説明図。
【図５】実施形態の折り返し試験装置に含まれない構成を示す参考図。
【図６】実施形態の折り返し試験装置に含まれない構成の動作の参考説明図。
【発明を実施するための形態】
【０００９】
以下、実施形態の無線装置、折り返し試験装置、折り返し試験方法を図面を参照して説明する。
なお、以下では、実施形態の折り返し試験装置を多重無線装置に適用した場合を例として説明するが、この例に限らず、実施形態の折り返し試験装置は、任意の無線装置に適用可能である。
【００１０】
図１は、実施形態の多重無線装置１００Ａ〜１００Ｆを備えた通信システム１の全体構成例を模式的に示すブロック図であり、複数の局舎に複数の多重無線装置１００Ａ〜１００Ｆを分散配置した例を示す。
図１に示す例では、本局１０００には、本局装置１００１によって管理される多重無線装置１００Ａおよび多重無線装置１００Ｂが配置されている。中継局２０００には、多重無線装置１００Ｃおよび多重無線装置１００Ｄが配置されている。これら多重無線装置１００Ｃと多重無線装置１００Ｄとの間は同軸ケーブルにより接続されている。支局３０００には、多重無線装置１００Ｅが配置され、支局４０００には多重無線装置１００Ｆが配置されている。なお、図１において、「ＦＴ」は送信周波数を表し、「ＦＲ」は受信周波数を表している。
【００１１】
各局舎に配置された多重無線装置１００Ａ〜１００Ｆのそれぞれは、後述の図２に示す多重無線装置１００と同様の構成を有している。図１の例では、複数の多重無線装置１００Ａ〜１００Ｆののうち、本局１０００の多重無線装置１００Ａのみが実施形態の折り返し試験装置５０を備えている。ただし、折り返し試験装置５０は、多重無線装置１００Ａから取り外して、他の多重無線装置１００Ｂ〜１００Ｆの何れにも取り付けることが可能となっている。即ち、折り返し試験装置５０は、複数の多重無線装置１００Ａ〜１００Ｆのそれぞれに対して着脱可能に構成されており、試験対象となる任意の多重無線装置に取り付け可能となっている。
【００１２】
図１の例では、本局１０００の多重無線装置１００Ａと支局３０００の多重無線装置１００Ｅとの間の通信は、中継局２０００の多重無線装置１００Ｃ，１００Ｄを通じて実施される。また、本局１０００の多重無線装置１００Ｂは、支局４０００の多重無線装置１００Ｆと直接的に通信が実施される。
【００１３】
図２は、実施形態の折り返し試験装置５０が適用された多重無線装置１００の構成例を示すブロック図である。図２に示す多重無線装置１００は、上述の図１に示す多重無線装置１００Ａ〜１００Ｆのそれぞれに対応している。
多重無線装置１００は、１つの周波数帯で複数のデータ信号を送信または受信するための装置であり、上記周波数帯として、例えば、６．５ＧＨｚ帯、７．５ＧＨｚ帯、１２ＧＨｚ帯が用いられる。多重無線装置１００は、送信に関与する要素として、分配部１１、現用系の送信部１２Ａ、予備系の送信部１２Ｂ、スイッチ回路（ＳＷ）１３を備えている。また、多重無線装置１００は、受信に関与する要素として、ハイブリッド回路（Ｈ）２１、現用系の受信部２２Ａ、予備系の受信部２２Ｂ、切替部２３を備えている。更に、多重無線装置１００は、送信と受信とで共用される要素として、サーキュレータ３０およびアンテナ４０を備えている。
【００１４】
分配部１１の入力部には、複数の送信データ信号ＳＴＸ１，ＳＴＸ２，…，ＳＴＸｎ（ｎは任意の自然数）が送信信号として入力され、分配部１１の第１出力部（１１１）および第２出力部（１１２）には、それぞれ、現用系の送信部１２Ａおよび予備系の送信部１２Ｂの各入力部が接続されている。現用系の送信部１２Ａおよび予備系の送信部１２Ｂの各出力部は、それぞれ、同軸ケーブルを通じてスイッチ回路１３の第１入力部および第２入力部と接続されている。スイッチ回路１３の出力部は、導波管を通じてサーキュレータ３０の第１ポートと接続されている。
【００１５】
サーキュレータ３０の第２ポートにはアンテナ４０が接続されている。サーキュレータ３０の第３ポートは、導波管を通じてハイブリッド回路２１の入力ポートと接続されている。ハイブリッド回路２１の第１出力ポートおよび第２出力ポートは、それぞれ、同軸ケーブルを通じて現用系の受信部２２Ａおよび予備系の受信部２２Ｂの各入力部と接続されている。現用系の受信部２２Ａの出力部は、切替部２３の第１入力部（２３１）に接続され、予備系の受信部２２Ｂの出力部は、切替部２３の第２入力部（２３２）に接続されている。
【００１６】
ここで、送信に関与する分配部１１は、多重無線装置１００に入力される複数の送信データ信号ＳＴＸ１，ＳＴＸ２，…，ＳＴＸｎを、現用系の送信部１２Ａおよび予備系の送信部１２Ｂに分配するための要素である。具体的には、分配部１１は、複数の送信データ信号ＳＴＸ１，ＳＴＸ２，…，ＳＴＸｎを現用系の送信部１２Ａと予備系の送信部１２Ｂとに分配する。
【００１７】
現用系の送信部１２Ａは、通常的に送信を担う要素であり、分配部１１により分配された複数の送信データ信号ＳＴＸ１，ＳＴＸ２，…，ＳＴＸｎに対し所定の送信処理を実施して第１周波数信号ＲＦ１を出力する。現用系の送信部１２Ａは、同期部１２１、多重部１２２、変調部１２３、アップコンバータ（Ｕ／Ｃ）部１２４を備えている。このうち、同期部１２１は、分配部１１の第１出力部（１１１）から現用系の送信部１２Ａに入力された複数の送信データ信号ＳＴＸ１，ＳＴＸ２，…，ＳＴＸｎを同期化するための要素である。
【００１８】
多重部１２２は、同期部１２１により同期化された複数の送信データ信号を多重化して一つの送信データ信号に束ねるための要素である。変調部１２３は、多重部１２２により多重化された送信データ信号をデジタル変調するための要素である。上記デジタル変調方式として、例えば、４ＰＳＫ(Phase Shift Keying)、１６ＱＡＭ(Quadrature Amplitude Modulation)、１２８ＱＡＭ等が用いられる。
【００１９】
アップコンバータ部１２４は、変調部１２３によりデジタル変調された送信データ信号を所望の帯域の無線周波信号である第１周波数信号ＲＦ１に周波数変換するための要素である。アップコンバータ部１２４により周波数変換された第１周波数信号ＲＦ１は、送信部１２Ａからスイッチ回路１３に出力される。
【００２０】
予備系の送信部１２Ｂは、例えば現用系の送信部１２Ａの保守点検を実施する場合や、現用系の送信部１２Ａに異常が発生した場合など、現用系の送信部１２Ａを運用できない状況において、現用系の送信部１２Ａに代わって送信を担う要素であり、上述の現用系の送信部１２Ａと同様に構成され、その構成の詳細は省略する。予備系の送信部１２Ｂは、分配部１１により分配される複数の送信データ信号ＳＴＸ１，ＳＴＸ２，…，ＳＴＸｎを同期化し、多重化し、デジタル変調し、周波数変換して第１周波数信号ＲＦ１を出力する。
【００２１】
スイッチ回路１３は、現用系の送信部１２Ａから出力される第１周波数信号ＲＦ１と予備系の送信部１２Ａから出力される第１周波数信号ＲＦ１とのうち、何れか１つを選択してサーキュレータ３０に供給するための要素である。具体的には、スイッチ回路１３は、通常の送信時に送信部１２Ａから出力される第１周波数信号ＲＦ１をサーキュレータ３０の第１ポートに供給し、予備系の送信部１２Ｂから出力される第１周波数信号ＲＦ１をサーキュレータ３０の第１ポートに供給する。
【００２２】
次に、受信に関与するハイブリッド回路２１は、サーキュレータ３０の第３ポートから供給される第２周波数信号ＲＦ２を現用系の受信部２２Ａと予備系の受信部２２Ｂとに分配するための要素である。
【００２３】
現用系の受信部２２Ａは、通常的に受信を担う要素であり、第２周波数信号ＲＦ２に対し所定の受信処理を実施して受信データ信号ＳＲＸ１，ＳＲＸ２，…，ＳＲＸｎを切替部２３に出力する。現用系の受信部２２Ａは、ダウンコンバータ（Ｄ／Ｃ）部２２１、復調部２２２、分離部２２３、同期部２２４を備えている。このうち、ダウンコンバータ部２２１は、ハイブリッド回路２１から現用系の受信部２２Ａに入力された無線周波の第２周波数信号ＲＦ２を所定の中間周波信号に周波数変換するための要素である。
【００２４】
復調部２２２は、ダウンコンバータ部２２１により周波数変換された中間周波信号を復調して、複数の受信データ信号（ＳＲＸ１，ＳＲＸ２，…，ＳＲＸｎ）が多重化された受信データ信号を得るための要素である。分離部２２３は、復調部２２２により復調された受信データ信号に含まれる多重化された複数の受信データ信号を分離するための要素である。同期部２２４は、分離部２２３により分離された複数の受信データ信号を同期化するための要素である。同期部２２４により同期化された複数の受信データ信号は、受信部２２Ａの第１入力部（２３１）に出力され、切替部２３を通じて複数の受信データ信号ＳＲＸ１，ＳＲＸ２，…，ＳＲＸｎ（受信信号）として出力される。
【００２５】
予備系の受信部２２Ｂは、例えば現用系の受信部２２Ａの保守点検を実施する場合や、現用系の受信部２２Ａに異常が発生した場合など、現用系の受信部２２Ａを運用できない状況において、現用系の受信部２２Ａに代わって受信を担う要素であり、上述の現用系の受信部２２Ａと同様に構成され、その構成の詳細は省略する。予備系の受信部２２Ｂは、ハイブリッド回路２１により分配される第２周波数信号ＲＦ２に含まれる複数の受信データ信号を周波数変換し、復調し、分離し、同期化して切替部２３の第２入力部（２３２）に出力する。
【００２６】
切替部２３は、通常の受信時に、受信部２２Ａから入力される受信データ信号を受信データ信号ＳＲＸ１，ＳＲＸ２，…，ＳＲＸｎとして出力し、現用系の受信部２２Ａを運用できない場合に、受信部２２Ｂから入力される受信データ信号を受信データ信号ＳＲＸ１，ＳＲＸ２，…，ＳＲＸｎとして出力するための要素である。
【００２７】
また、多重無線装置１００は、折り返し試験装置５０を備えている。折り返し試験装置５０は、送信部１２Ａから出力された第１周波数信号ＲＦ１を周波数変換して第２周波数信号ＲＦ２を発生させ、第２周波数信号ＲＦ２を受信部２２Ａに折り返して入力するための要素である。なお、予備系の送信部１２Ｂの出力部と、予備系の受信部２２Ｂの入力部との間にも、同様に折り返し試験装置５０が接続可能となっている。
【００２８】
図２の例では、折り返し試験装置５０は、送信部１２Ａの出力部に接続された同軸ケーブル上に設けられた第１中間端子（符号なし）と、受信部２２Ａの入力部に接続された同軸ケーブル上に設けられた第２中間端子（符号なし）との間に接続されている。ただし、この例に限らず、折り返し試験装置５０は、現用系の送信部１２Ａから出力される第１周波数信号ＲＦ１の伝送経路上の任意の部位と、現用系の受信部２２Ａに入力される第２周波数信号ＲＦ２の伝送経路上の任意の部位との間に接続され得る。
【００２９】
ここで、折り返し試験装置５０を用いた折り返し試験は、例えば多重無線装置１００を局舎（本局、中継局、支局）に設置する際に行われる試験であり、試験時に送信部１２Ａから出力される第１周波数信号ＲＦ１を周波数変換して第２周波数信号ＲＦ２を生成し、この第２周波数信号ＲＦ２を受信部２２Ａの入力部に供給することにより、対向側の多重無線装置を要することなく、送信部１２Ａおよび受信部２２Ａの試験を実施できる。従って、折り返し試験によれば、アンテナ４０から実際に電波を放射することなく、多重無線装置１００の送信部１２Ａおよび受信部２２Ａの両機能を試験することができる。即ち、多重無線装置１００単体で多重無線装置１００の送受信機能を試験することができる。
【００３０】
図３は、実施形態の折り返し試験装置５０の構成例を示す図である。
折り返し試験装置５０は、入力端子ＴＩＮ、出力端子ＴＯＵＴ、局部発振器５１、周波数混合器５２を備えて構成される。入力端子ＴＩＮは、上述の現用系の送信部１２Ａの出力部に接続された同軸ケーブル上の第１中間端子と接続されている。入力端子ＴＩＮには、現用系の送信部１２Ａから第１周波数信号ＲＦ１が供給される。また、出力端子ＴＯＵＴは、上述の現用系の受信部２２Ａの入力部に接続された同軸ケーブル上の第２中間端子と接続されている。
【００３１】
局部発振器５１は、所定周波数の局部発振周波数信号ＭＦを発生させるための要素である。局部発振器５１が発生させた局部発振周波数信号ＭＦは、周波数混合器５２の中間周波端子（ＩＦ）に供給される。局部発振器５１は、局部発振周波数信号を発生させる発振器であり、例えば水晶発振器である。
【００３２】
周波数混合器５２は、送信部１２Ａから出力された第１周波数信号ＲＦ１と局部発振器５１が発生させた局部発振周波数信号ＭＦとに基づいて、第１周波数信号ＲＦ１と局部発振周波数信号ＭＦとの和差信号を生成するための要素である。実施形態では、周波数混合器５２は、送信部１２Ａから出力された第１周波数信号ＲＦ１と局部発振器５１が発生させた局部発振周波数信号ＭＦとを乗算することにより、第１周波数信号ＲＦ１と局部発振周波数信号ＭＦとの和差信号を生成する。周波数混合器５２は、ローカル端子（Ｌｏ）、中間周波端子（ＩＦ）、無線周波端子（ＲＦ）を有している。ここで、周波数混合器５２のローカル端子（Ｌｏ）は、入力端子ＴＩＮと接続されている。周波数混合器５２の中間周波端子（ＩＦ）は、局部発振器５１の出力部と接続されている。周波数混合器５２の無線周波端子（ＲＦ）は出力端子ＴＯＵＴと接続されている。
【００３３】
従って、周波数混合器５２のローカル端子（Ｌｏ）には、入力端子ＴＩＮを通じて第１周波数信号ＲＦ１が入力され、中間周波端子（ＩＦ）には、局部発振器５１から局部発振周波数信号ＭＦが入力される。周波数混合器５２は、送信部からローカル端子（Ｌｏ）に入力された第１周波数信号ＲＦ１と局部発振器５１から中間周波端子（ＩＦ）に入力された局部発振周波数信号ＭＦとを乗算して、第１周波数信号ＲＦ１と局部発振周波数信号ＭＦとの和差信号を生成する。周波数混合器５２により生成された和差信号は、第２周波数信号ＲＦ２として無線周波端子（ＲＦ）から出力端子ＴＯＵＴを通じて受信部２２Ａに出力される。
【００３４】
周波数混合器５２は、次式（１）の乗算演算を行うミキサーから構成される。
sinω1t×sinω2t = [cos(ω1-ω2)t−cos(ω1+ω2)t]／2 …（１）
ここで、ω１＝２πｆ１，ω２＝２πｆ２であり、ｆ１は、第１周波数信号ＲＦ１の周波数であり、ｆ２は、局部発振周波数信号ＭＦの周波数である。
【００３５】
上式（１）から理解されるように、周波数混合器５２の無線周波端子（ＲＦ）から出力される和差信号（第２周波数信号ＲＦ２）には、第１周波数信号ＲＦ１の周波数ｆ１と局部発振周波数信号ＭＦの周波数ｆ２との和信号の周波数成分（ｆ１＋ｆ２）と、差信号の周波数成分（ｆ１−ｆ２）とが含まれている。このような周波数混合器５２の演算特性は、後述するように、折り返し試験装置５０において、送信データ信号の第１周波数信号ＲＦ１を周波数変換して受信データ信号の第２周波数信号ＲＦ２を得るために利用される。
【００３６】
なお、ローカル端子（Ｌｏ）に入力される信号の周波数から中間周波端子（ＩＦ）に入力される信号の周波数を減算した差信号の周波数成分（ｆ１−ｆ２）と、ローカル端子（Ｌｏ）に入力される信号の周波数に中間周波端子（ＩＦ）に入力される信号の周波数を加算した和信号の周波数成分（ｆ１＋ｆ２）とを得ることができることを限度に、周波数混合器５２は、任意のミキサーであり得る。
【００３７】
次に、折り返し試験装置５０に着目して多重無線装置１００の動作を説明する。
ここでは、多重無線装置１００を局舎に設置する際に、折り返し試験装置５０を用いて多重無線装置１００単体で送信部１２Ａおよび受信部２２Ａの両機能を試験する場合を例として説明する。
【００３８】
折り返し試験を実施する場合、設置作業の担当者は、送信データ信号ＳＴＸ１，ＳＴＸ２，…，ＳＴＸｎとして試験用の送信データ信号を多重無線装置１００に外部から入力する。多重無線装置１００に入力された試験用の送信データ信号は、分配部１１により送信部１２Ａに分配される。送信部１２Ａは、分配部１１により分配された試験用の送信データ信号に対して所定の送信処理（同期化、多重化、デジタル変調、周波数変換）を実施して無線周波の第１周波数信号ＲＦ１を出力する。
【００３９】
送信部１２Ａから出力された第１周波数信号ＲＦ１は、折り返し試験装置５０の入力端子ＴＩＮ（図３）に供給される。入力端子ＴＩＮに供給された第１周波数信号ＲＦ１は、周波数混合器５２のローカル端子（Ｌｏ）に入力される。また、周波数混合器５２の中間周波端子（ＩＦ）には、局部発振器５１から所定周波数の局部発振周波数信号ＭＦが入力されている。
【００４０】
上述の第１周波数信号ＲＦ１と局部発振周波数信号ＭＦが入力される周波数混合器５２の動作を説明する。
ここでは、送信部１２Ａから折り返し試験装置５０の入力端子ＴＩＮに供給される第１周波数信号ＲＦ１の周波数を７４５０ＭＨｚとし、折り返し試験装置５０の出力端子ＴＯＵＴから出力される第２周波数信号ＲＦ２の周波数として、７２９０ＭＨｚ（７４５０ＭＨｚ−１６０ＭＨｚ）の差信号周波数を得る場合を例に説明する。この場合、周波数混合器５２のローカル端子（Ｌｏ）には、７４５０ＭＨｚの第１周波数信号ＲＦ１が入力され、周波数混合器５２の中間周波端子（ＩＦ）には、１６０ＭＨｚの局部発振周波数信号ＭＦが入力される。
【００４１】
図４は、実施形態の折り返し試験装置５０に備えられた周波数混合器５２の動作例の説明図であり、周波数混合器５２のローカル端子（Ｌｏ）に入力される第１周波数信号ＲＦ１のスペクトラムと、中間周波端子（ＩＦ）に入力される局部発振周波数信号ＭＦのスペクトラムと、無線周波端子（ＲＦ）から出力される第２周波数信号ＲＦ２（ＲＦ２Ｌ，ＲＦ２Ｈ）のスペクトラムを模式的に示している。
なお、後述するスペクトラムの反転現象の理解の容易化のため、図４では、第１周波数信号ＲＦ１、第２周波数信号ＲＦ２Ｈ，ＲＦ２Ｌの各スペクトラムの形状を非対称の台形状としており、実際のスペクトラムの形状とは異なっている。
【００４２】
図４の例では、第１周波数信号ＲＦ１のスペクトラムは、７４５０ＭＨｚを中心とした１０ＭＨｚの帯域幅を有している。第２周波数信号ＲＦ２Ｌは、周波数混合器５２により得られる差信号であり、第２周波数信号ＲＦ２Ｌの周波数は、第１周波数信号ＲＦ１の周波数「７４５０ＭＨｚ」から局部発振周波数信号ＭＦの周波数「１６０ＭＨｚ」を減算した周波数「７２９０ＭＨｚ」である。図４の例では、第２周波数信号ＲＦ２Ｌのスペクトラムは、７２９０ＭＨｚを中心とした１０ＭＨｚの帯域幅を有している。
【００４３】
第２周波数信号ＲＦ２Ｈは、周波数混合器５２により得られる和信号であり、第２周波数信号ＲＦ２Ｈの周波数は、第１周波数信号ＲＦ１の周波数「７４５０ＭＨｚ」と局部発振周波数信号ＭＦの周波数「１６０ＭＨｚ」を加算した周波数「７６１０ＭＨｚ」である。図４の例では、第２周波数信号ＲＦ２Ｈのスペクトラムは、７６１０ＭＨｚを中心とした１０ＭＨｚの帯域幅を有している。
なお、図４の例では、説明の簡略化のため、第１周波数信号ＲＦ１および第２周波数信号ＲＦ２Ｈ，ＲＦ２Ｌの各スペクトラムの帯域幅を１０ＭＨｚとしているが、各帯域は任意に設定し得る。
【００４４】
局部発振周波数信号ＭＦのスペクトラムは、中心周波数の１６０ＭＨｚに集中している。このことは、局部発振器５１から発生される局部発振周波数信号ＭＦの周波数が帯域を殆ど持っていないこと、即ち、局部発振周波数信号ＭＦが所定の発振周波数以外の周波数成分を殆ど含んでいないことを意味する。ここで、第２周波数信号ＲＦ２Ｌのスペクトラムの反転現象が生じないたいめには、理想的には、局部発振器５１により発生される局部発振周波数信号ＭＦの周波数が帯域を持たず、且つ、局部発振周波数信号ＭＦの周波数が、帯域を有する第１周波数信号ＲＦ１のスペクトラムの帯域に含まれる周波数（図４の例では、７４４５ＭＨｚ〜７４５５ＭＨｚの周波数）よりも小さい周波数であればよい。実施形態では、局部発振器５１として水晶発振器を用いることにより、帯域を持たない局部発振周波数信号ＭＦを生成している。ただし、第２周波数信号ＲＦ２Ｌのスペクトラムの反転現象が生じないことを限度として、局部発振周波数信号ＭＦが或る程度の帯域を持つことは許容され、その限りにおいて、局部発振器５１として水晶発振器以外の発振手段を用いることも可能である。
【００４５】
上述のように周波数混合器５２のローカル端子（Ｌｏ）に第１周波数信号ＲＦ１が入力されると、周波数混合器５２は、ローカル端子（Ｌｏ）に入力される周波数「７４５０ＭＨｚ」の第１周波数信号ＲＦ１と、中間周波端子（ＩＦ）に局部発振器５１から入力される周波数「１６０ＭＨｚ」の局部発振周波数信号ＭＦとの差信号として、周波数「７２９０ＭＨｚ」の第２周波数信号ＲＦ２Ｌを無線周波端子（ＲＦ）から発生させると共に、和信号として周波数「７６１０ＭＨｚ」の第２周波数信号ＲＦ２Ｈを無線周波端子（ＲＦ）から発生させる。
【００４６】
ここで注目すべきことは、周波数混合器５２が第１周波数信号ＲＦ１から第２周波数信号ＲＦ２Ｌ，ＲＦ２Ｈを発生させる過程で、第２周波数信号ＲＦ２Ｌおよび第２周波数信号ＲＦ２Ｈの何れもスペクトラムが反転しないことである。即ち、第２周波数信号ＲＦ２Ｌ，ＲＦ２Ｈのスペクトラムの向きは、第１周波数信号ＲＦ１のスペクトラムの向きと同じである。このようにスペクトラムの反転現象が生じない理由を次に説明する。
【００４７】
周波数混合器５２が第１周波数信号ＲＦ１から差信号の第２周波数信号ＲＦ２Ｌを発生させる場合、前述の式（１）に従って、差信号である第２周波数信号ＲＦ２Ｌのスペクトラムの上限周波数は、第１周波数信号ＲＦ１のスペクトラムの上限周波数「７４５５ＭＨｚ」から局部発振周波数信号ＭＦの周波数「１６０ＭＨｚ」を減算した周波数「７２９５ＭＨｚ」になる。
【００４８】
ここで、局部発振周波数信号ＭＦのスプリアスの帯域は極めて小さいので、第１周波数信号ＲＦ１から減算される局部発振周波数信号ＭＦの周波数は単一の値「１６０ＭＨｚ」をとる。このため、第１周波数信号ＲＦ１の周波数から局部発振周波数信号ＭＦの周波数を減算して得られる第２周波数信号ＲＦ２Ｌのスペクトラムの上限周波数は、周波数「７２９５ＭＨｚ」に決定される。
【００４９】
また、前述の式（１）に従って、差信号である第２周波数信号ＲＦ２Ｌのスペクトラムの下限周波数は、第１周波数信号ＲＦ１のスペクトラムの下限周波数「７４４５ＭＨｚ」から局部発振周波数信号ＭＦの周波数「１６０ＭＨｚ」を減算した周波数「７２９５ＭＨｚ」になる。この場合も局部発振周波数信号ＭＦの周波数は単一の値「１６０ＭＨｚ」をとるため、第１周波数信号ＲＦ１の周波数から局部発振周波数信号ＭＦの周波数を減算して得られる第２周波数信号ＲＦ２Ｌのスペクトラムの下限周波数は、周波数「７２８５ＭＨｚ」に決定される。
【００５０】
結局、前述の式（１）に従って周波数混合器５２が第１周波数信号ＲＦ１から差信号の第２周波数信号ＲＦ２Ｌを発生させる過程で、第１周波数信号ＲＦ１のスペクトラムの下限周波数に対応して第２周波数信号ＲＦ２Ｌのスペクトラムの下限周波数が決定され、第１周波数信号ＲＦ１のスペクトラムの上限周波数に対応して第２周波数信号ＲＦ２Ｌのスペクトラムの上限周波数が決定される。従って、周波数に関して、第２周波数信号ＲＦ２Ｌのスペクトラムは、第１周波数信号ＲＦ１のスペクトラムを局部発振周波数信号ＭＦの周波数「１６０ＭＨｚ」だけ平行移動させたものとなる。このため、第２周波数信号ＲＦ２Ｌのスペクトラムの向きは、第１周波数信号ＲＦ１のスペクトラムの向きと一致し、スペクトラムの反転現象は生じない。
【００５１】
ただし、図３の構成において、ローカル端子（Ｌｏ）と中間周波端子（ＩＦ）の各信号を入れ替えると、スペクトラムの反転現象が生じる場合があるが、その詳細は後述する。従って、実施形態の折り返し試験装置５０の構成は、図３の構成において、ローカル端子（Ｌｏ）と中間周波端子（ＩＦ）の各信号を入れ替えた構成を含まない。
【００５２】
前述の式（１）に従って得られる和信号の第２周波数信号ＲＦ２Ｈについては、原理上、スペクトラムの反転は発生し得ない。即ち、図４において、仮に局部発振周波数信号ＭＦのスペクトラムの帯域が１０ＭＨｚであったとしても、第２周波数信号ＲＦ２Ｈの上限周波数および下限周波数は、何れも第１周波数信号ＲＦ１の上限周波数および下限周波数を局部発振周波数信号ＭＦの周波数分だけ一様に増加させた周波数になる。即ち、第２周波数信号ＲＦ２Ｈのスペクトラムは、第１周波数信号ＲＦ１のスペクトラムを局部発振周波数信号ＭＦの周波数「１６０ＭＨｚ」だけ平行移動したものとなる。このため、第２周波数信号ＲＦ２Ｈのスペクトラムの向きは、第１周波数信号ＲＦ１のスペクトラムの向きと一致し、スペクトラムの反転は生じない。この結果、実施形態の折り返し試験装置５０によれば、図４に示すように、第２周波数信号ＲＦ２Ｌ，ＲＦ２Ｈの各スペクトラムは共に反転しない。
【００５３】
折り返し試験装置５０の出力端子ＴＯＵＴから出力される第２周波数信号ＲＦ２には、上述の差信号成分と和信号成分が含まれている。このため、例えば、差信号成分のみを通過させる帯域フィルタを用いれば、折り返し試験装置５０の出力端子ＴＯＵＴから出力される第２周波数信号ＲＦ２から差信号成分の周波数「７２９０ＭＨｚ」を有する第２周波数信号ＲＦ２Ｌのみを取り出すことができる。
【００５４】
上述した折り返し試験装置５０から出力される周波数「７２９０ＭＨｚ」の第２周波数信号ＲＦ２Ｌは、受信部２２Ａに入力される。受信部２２Ａは、折り返し試験装置５０から入力される第２周波数信号ＲＦ２Ｌに含まれる受信データ信号を復調分離し、切替部２３を通じて複数の受信データ信号ＳＲＸ１，ＳＲＸ２，…，ＳＲＸｎを出力する。この場合、折り返し試験装置５０から受信部２２Ａに入力される第２周波数信号ＲＦ２Ｌのスペクトラムは反転しておらず、送信部１２Ａから出力される第１周波数信号ＲＦ１と同じ向けのスペクトラムであるから、多重無線装置１００に故障等の異常が存在しなければ、第２周波数信号ＲＦ２Ｌから複数の受信データ信号ＳＲＸ１，ＳＲＸ２，…，ＳＲＸｎを正常に復調することができる。
【００５５】
以上により、多重無線装置１００の分配部１１に入力された送信データ信号が折り返し試験装置５０により折り返されて受信データ信号として切替部２３から出力される。そして、送信データ信号と受信データ信号とから例えば符号化エラーレートを算出し、この符号化エラーレートが許容値以下であれば、送信部１２Ａと受信部２２Ａとの両機能に異常がないことが分かる。また、符号化エラーレートが許容値を超えていれば、現用系の送信部１２Ａと受信部２２Ａとの何れかに異常が存在することが推定される。これにより、多重無線装置１００の送信機能と受信機能の両方を同時的に試験することができる。
【００５６】
ここで、上述の式（１）によれば、図３の構成において、周波数混合器５２のローカル端子（Ｌｏ）と中間周波端子（ＩＦ）とにそれぞれ入力される信号を入れ替えた場合も差信号と和信号を得ることができる。しかしながら、この場合、次に説明するように差信号である第２周波数信号ＲＦ２Ｌのスペクトラムが反転するため、第２周波数信号ＲＦ２Ｌから受信データ信号を正常に復調することができなくなる場合が起こり得る。従って、実施形態の折り返し試験装置５０は、図３の構成においてローカル端子（Ｌｏ）と中間周波端子（ＩＦ）とにそれぞれ入力される信号を入れ替えた構成を含まない。
【００５７】
図５および図６を参照して、図３の構成において周波数混合器５２のローカル端子と中間周波端子とに入力される信号を入れ替えた場合に第２周波数信号ＲＦ２Ｌのスペクトラムが反転する理由を説明する。
図５は、実施形態の折り返し試験装置５０に含まれない構成を示す参考図である。図５の例では、周波数混合器５２の中間周波端子（ＩＦ）は、入力端子ＴＩＮと接続されている。周波数混合器５２のローカル端子（Ｌｏ）は、局部発振器５１の出力部と接続されている。周波数混合器５２の無線周波端子（ＲＦ）は出力端子ＴＯＵＴと接続されている。即ち、図５の構成は、上述の図３の構成において、周波数混合器５２のローカル端子（Ｌｏ）と中間周波端子（ＩＦ）に入力される信号が入れ替えられた構成に相当する。
【００５８】
図５の例では、周波数混合器５２の中間周波端子（ＩＦ）には、折り返し試験装置５０の入力端子ＴＩＮを通じて第１周波数信号ＲＦ１が入力され、ローカル端子（Ｌｏ）には、局部発振器５１から局部発振周波数信号ＭＦが入力される。これら第１周波数信号ＲＦ１と局部発振周波数信号ＭＦとを周波数混合器５２により乗算して得られる和差信号は、第２周波数信号ＲＦ２として無線周波端子（ＲＦ）から折り返し試験装置５０の出力端子ＴＯＵＴを通じて出力される。
【００５９】
図６は、実施形態の折り返し試験装置５０に含まれない図５に示す構成の動作の参考説明図であり、周波数混合器５２のローカル端子（Ｌｏ）に入力される局部発振周波数信号ＭＦのスペクトラムと、中間周波端子（ＩＦ）に入力される第１周波数信号ＲＦ１のスペクトラムと、無線周波端子（ＲＦ）から出力される第２周波数信号ＲＦ２（ＲＦ２Ｌ，ＲＦ２Ｈ）のスペクトラムを模式的に示している。図６の例では、無線周波端子（ＲＦ）から出力される第２周波数信号ＲＦ２Ｌの周波数として「７１７０ＭＨｚ」を得ることを想定しており、そのため、局部発振器５１から発生される局部発振周波数信号ＭＦの周波数は「７３１０ＭＨｚ」に設定され、第１周波数信号ＲＦ１の周波数は「１４０ＭＨｚ」に設定されている。
【００６０】
差信号である第２周波数信号ＲＦ２Ｌの周波数は、局部発振周波数信号ＭＦの周波数「７３１０ＭＨｚ」から第１周波数信号ＲＦ１の周波数「１４０ＭＨｚ」を減算した周波数「７１７０ＭＨｚ」になる。ここで、第２周波数信号ＲＦ２Ｌを発生させる過程で、周波数混合器５２のローカル端子（Ｌｏ）に入力される局部発振周波数信号ＭＦの周波数「７３１０ＭＨｚ」から、中間周波端子（ＩＦ）に入力される第１周波数信号ＲＦ１のスペクトラムの上限周波数「１４５ＭＨｚ」を減算すると、第２周波数信号ＲＦ２Ｌのスペクトラムの下限周波数「７１６５ＭＨｚ」が得られる。また、局部発振周波数信号ＭＦの周波数「７３１０ＭＨｚ」から第１周波数信号ＲＦ１のスペクトラムの下限周波数「１３５ＭＨｚ」を減算すると、第２周波数信号ＲＦ２Ｌのスペクトラムの上限周波数「７１７５ＭＨｚ」が得られる。
【００６１】
この場合、第２周波数信号ＲＦ２Ｌのスペクトラムの上限周波数および下限周波数は、それぞれ、第１周波数信号ＲＦ１のスペクトラムの下限周波および上限周波数に対応している。このことは、第１周波数信号ＲＦ１のスペクトラムに対して第２周波数信号ＲＦ２Ｌのスペクトラムが反転していることを意味する。このようなスペクトラムの反転現象は、周波数混合器５２が、帯域を持たない局部発振周波数信号ＭＦの周波数（７３１０ＭＨｚ）から、帯域を持つ第１周波数信号ＲＦ１の周波数（１３５ＭＨｚ〜１４５ＭＨｚ）を減算することに起因している。このように第２周波数信号ＲＦ２Ｌのスペクトラムが反転していると、第２周波数信号ＲＦ２Ｌから受信データ信号を正常に復調することができなくなる。これに対し、図３に示す実施形態の折り返し試験装置５０によれば、前述したように、第２周波数信号ＲＦ２Ｌのスペクトラムは反転せず、第２周波数信号ＲＦ２Ｌから受信データ信号を正常に復調することができる。
【００６２】
上述した実施形態によれば、スペクトルの反転を生じることなく、送信部から出力された第１周波数信号ＲＦ１を周波数変換して、第２周波数信号ＲＦ２を発生させることができる。従って、アンテナ４０によって受信される受信データ信号と同様のスペクトルを有する第２周波数信号ＲＦ２を多重無線装置１００内部で発生させることができ、多重無線装置１００単体で送受信機能を正しく試験することができる。
【００６３】
次に、前述の図１を参照して、実施形態の折り返し試験装置５０を用いた折り返し試験の一例を説明する。
図１の例に示す通信システム１では、局舎間の通信に用いられる周波数は、７４５０ＭＨｚ、７６１０ＭＨｚ、７６００ＭＨｚ、７４４０ＭＨｚ、７６２０ＭＨｚ、７４６０ＭＨｚの６種類である。具体的には、本局１０００の多重無線装置１００Ａの送信周波数ＦＴは７４５０ＭＨｚに設定され、受信周波数ＦＲは７６１０ＭＨｚに設定されている。同じく本局１０００の多重無線装置１００Ｂの送信周波数ＦＴは７６２０ＭＨｚに設定され、受信周波数ＦＲは７４６０ＭＨｚに設定されている。中継局２０００の多重無線装置１００Ｃの送信周波数ＦＴは７６１０ＭＨｚに設定され、受信周波数ＦＲは７４５０ＭＨｚに設定されている。同じく中継局２０００の多重無線装置１００Ｄの送信周波数ＦＴは７６００ＭＨｚに設定され、受信周波数ＦＲは７４４０ＭＨｚに設定されている。支局３０００の多重無線装置１００Ｅの送信周波数ＦＴは７４４０ＭＨｚに設定され、受信周波数ＦＲは７６００ＭＨｚに設定されている。支局４０００の多重無線装置１００Ｆの送信周波数ＦＴは７４６０ＭＨｚに設定され、受信周波数ＦＲは７６２０ＭＨｚに設定されている。
【００６４】
本局１０００に設置された多重無線装置１００Ａの折り返し試験を実施する場合、折り返し試験装置５０を多重無線装置１００Ａに取り付け、折り返し試験装置５０の入力端子ＴＩＮには図２の送信部１２Ａから送信周波数「７４５０ＭＨｚ」の第１周波数信号ＲＦ１を入力し、折り返し試験装置５０に備えられた図３の局部発振器５１が発生させる局部発振周波数信号ＭＦの周波数を「１６０ＭＨｚ」に設定すればよい。この場合、受信周波数「７６１０ＭＨｚ」の第２周波数信号ＲＦ２Ｈが、折り返し試験装置５０の出力端子ＴＯＵＴから和信号として図２の受信部２２Ａに出力される。
【００６５】
また、本局１０００に設置された多重無線装置１００Ｂの折り返し試験を実施する場合、折り返し試験装置５０を多重無線装置１００Ｂに付け替えて、折り返し試験装置５０の入力端子ＴＩＮに周波数「７６２０ＭＨｚ」の第１周波数信号ＲＦ１を入力し、局部発振器５１が発生させる局部発振周波数信号ＭＦの周波数を「１６０ＭＨｚ」に設定すればよい。この場合、周波数「７４６０ＭＨｚ」の第２周波数信号ＲＦ２Ｌが、折り返し試験装置５０の出力端子ＴＯＵＴから差信号として出力される。
【００６６】
また、本局１０００の多重無線装置１００Ａと通信する中継局２０００の多重無線装置１００Ｃの折り返し試験を実施する場合、折り返し試験装置５０を多重無線装置１００Ｃに付け替えて、折り返し試験装置５０の入力端子ＴＩＮに送信周波数「７６１０ＭＨｚ」の第１周波数信号ＲＦ１を入力し、局部発振器５１が発生させる局部発振周波数信号ＭＦの周波数を「１６０ＭＨｚ」に設定すればよい。この場合、受信周波数「７４５０ＭＨｚ」の第２周波数信号ＲＦ２Ｌが、折り返し試験装置５０の出力端子ＴＯＵＴから差信号として出力される。
【００６７】
また、中継局２０００の多重無線装置１００Ｄの折り返し試験を実施する場合、折り返し試験装置５０を多重無線装置１００Ｄに付け替えて、折り返し試験装置５０の入力端子ＴＩＮに送信周波数「７６００ＭＨｚ」の第１周波数信号ＲＦ１を入力し、局部発振器５１が発生させる局部発振周波数信号ＭＦの周波数を「１６０ＭＨｚ」に設定すればよい。この場合、受信周波数「７４４０ＭＨｚ」の第２周波数信号ＲＦ２Ｌが、折り返し試験装置５０の出力端子ＴＯＵＴから差信号として出力される。
【００６８】
また、中継局２０００の多重無線装置１００Ｄと通信する支局３０００の多重無線装置１００Ｅの折り返し試験を実施する場合、折り返し試験装置５０を多重無線装置１００Ｅに付け替えて、折り返し試験装置５０の入力端子ＴＩＮに送信周波数「７４４０ＭＨｚ」の第１周波数信号ＲＦ１を入力し、局部発振器５１が発生させる局部発振周波数信号ＭＦの周波数を「１６０ＭＨｚ」に設定すればよい。この場合、受信周波数「７６００ＭＨｚ」の第２周波数信号ＲＦ２Ｈが、折り返し試験装置５０の出力端子ＴＯＵＴから和信号として出力される。
【００６９】
また、支局４０００の多重無線装置１００Ｆの折り返し試験を実施する場合、折り返し試験装置５０を多重無線装置１００Ｆに付け替えて、折り返し試験装置５０の入力端子ＴＩＮに送信周波数「７４６０ＭＨｚ」の第１周波数信号ＲＦ１を入力し、局部発振器５１が発生させる局部発振周波数信号ＭＦの周波数を「１６０ＭＨｚ」に設定すればよい。この場合、受信周波数「７６２０ＭＨｚ」の第２周波数信号ＲＦ２Ｈが、折り返し試験装置５０の出力端子ＴＯＵＴから和信号として出力される。
以上のように、折り返し試験装置５０を用いれば、多重無線装置から実際に電波を放射することなく、各局舎に設置された多重無線装置１００Ａ〜１００Ｆの各機能を試験することができる。
【００７０】
実施形態の折り返し試験装置５０は、折り返し試験方法として表現することもできる。この場合、実施形態の折り返し試験方法は、無線装置に備えられた送信部から出力される第１周波数信号を周波数変換して第２周波数信号を発生させ、前記第２周波数信号を前記無線装置に備えられた受信部に折り返して入力する折り返し試験方法であって、局部発振器が、所定周波数の局部発振周波数信号を発生させる段階と、ローカル端子と中間周波端子と無線周波端子とを有する周波数混合器が、前記送信部から前記ローカル端子に入力された前記第１周波数信号と前記局部発振器から前記中間周波端子に入力された前記局部発振周波数信号とに基づいて前記第１周波数信号と前記局部発振周波数信号との和差信号を生成し、前記和差信号を前記第２周波数信号として前記無線周波端子から出力する段階と、を含むことを特徴とする折り返し試験方法として表現することができる。
【００７１】
前記折り返し試験方法において、例えば、前記周波数混合器は、前記第１周波数信号と前記局部発振周波数信号とを乗算することにより前記和差信号を生成してもよい。
また、前記折り返し試験方法において、例えば、前記局部発振器により発生される前記局部発振周波数信号の周波数は帯域を持たず、且つ、前記局部発振周波数信号の周波数は、前記第１周波数信号のスペクトラムの帯域に含まれる周波数よりも小さい周波数であることが望ましい。このように、局部発振器から周波数混合器の中間周波端子に入力される局部発振周波数信号を、帯域を持たない搬送波（ＣＷ）とすることにより、周波数混合器の無線周波端子から出力される第２周波数信号のスペクトラムの反転を防止し、折り返し試験におおける周波数変換を正しく行うことが可能になる。
【００７２】
以上述べた少なくともひとつの実施形態の送信システムによれば、装置構成の複雑化および装置コストの上昇を抑制することができる。
【００７３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７４】
１…通信システム、１１…分配部、１２Ａ，１２Ｂ…送信部、１３…スイッチ回路、２１…ハイブリッド回路、２２Ａ，２２Ｂ…受信部、２３…切替部、３０…サーキュレータ、４０…アンテナ、５０…折り返し試験装置、５１…局部発振器、５２…周波数混合器、１００，１００Ａ〜１００Ｆ…多重無線装置、１２１…同期部、１２２…多重部、１２３…変調部、１２４…アップコンバータ部、２２１…ダウンコンバータ部、２２２…復調部、２２３…分離部、２２４…同期部、１０００…本局、１００１…本局装置、２０００…中継局、３０００，４０００…支局、ＴＩＮ…入力端子、ＴＯＵＴ…出力端子。
【図１】
0006334451.tif 000002
【図２】
0006334451.tif 000003
【図３】
0006334451.tif 000004
【図４】
0006334451.tif 000005
【図５】
0006334451.tif 000006
【図６】
0006334451.tif 000007